(57)【要約】【課題】心理的・身体的な負担を与えることなく対象者の反応を調査できる反応調査システム及び反応調査方法を提供する。【解決手段】対象者１の生体情報を取得するために、対象者１に向けて発射した電波の反射波を受信する無線センサ２１や、対象者１の動きに応じた圧力の変化を検知する圧電センサ２２が用いられる。そのため、対象者１の体に加速度計などの器具を取り付ける必要がなく、対象者１の身体的な負担が生じない。また、無線センサ２１や圧電センサ２２の検出結果は対象者１の本人を特定できない情報であるため、そのような検出結果が記録されることに対する対象者１の心理的な負担が軽減されるとともに、当該検出結果が外部に漏洩した場合のプライバシーの侵害が生じない。【選択図】図１
2018143340.tif 000002
【特許請求の範囲】
【請求項１】
物事の進行とともに起きる出来事に対する対象者の反応を調査する反応調査システムであって、
前記出来事に関する出来事情報を取得する出来事情報取得部と、
前記対象者の生体情報を取得する生体情報取得部と、
前記生体情報取得部において取得された前記生体情報と、当該生体情報が前記対象者から取得されたときの前記出来事に関する前記出来事情報とを関連付ける関連付け部とを有し、
前記生体情報取得部は、
前記対象者に向けて発射した電波の反射波を受信する無線センサ、及び、前記対象者の動きに応じた圧力の変化を検知する圧電センサの少なくとも一方と、
前記無線センサの検出結果及び前記圧電センサの検出結果の少なくとも一方に基づいて前記生体情報を解析する解析部とを含む
ことを特徴とする反応調査システム。
【請求項２】
前記解析部は、前記無線センサの検出結果及び前記圧電センサの検出結果の少なくとも一方に基づいて、前記対象者の位置、前記対象者の動作、前記対象者の呼吸、及び、前記対象者の心拍のいずれか２以上を前記生体情報として解析する
ことを特徴とする請求項１に記載の反応調査システム。
【請求項３】
前記無線センサは、前記対象者の体の正面側に向けて電波を発射する
ことを特徴とする請求項１又は２に記載の反応調査システム。
【請求項４】
前記圧電センサは、前記対象者が着席する座席の座部において前記圧力の変化を検知する
ことを特徴とする請求項１乃至３の何れか一項に記載の反応調査システム。
【請求項５】
前記無線センサは、複数の位置で独立に前記反射波を受信可能であり、
前記解析部は、前記無線センサによる前記複数の位置での受信結果に基づいて前記対象者の動きの方向を解析する
ことを特徴とする請求項１乃至４の何れか一項に記載の反応調査システム。
【請求項６】
前記生体情報取得部は、複数の位置で独立に前記対象者の動きに応じた圧力の変化を検知する複数の前記圧力センサを含み、
前記解析部は、前記複数の圧力センサによる前記複数の位置での前記圧力の検知結果に基づいて前記対象者の動きの方向を解析する
ことを特徴とする請求項１乃至４の何れか一項に記載の反応調査システム。
【請求項７】
前記無線センサは、前記対象者の頭部からの前記反射波を受信し、
前記解析部は、前記無線センサにおいて受信された前記頭部からの前記反射波の受信信号強度と前記圧電センサにおいて検知される前記圧力とに基づいて、前記対象者の頭部が水平方向に振られているか又は鉛直方向に振られているかを判定する
ことを特徴とする請求項１乃至６の何れか一項に記載の反応調査システム。
【請求項８】
前記圧電センサは、前記対象者が着席する座席の座部において前記圧力の変化を検知し、
前記無線センサは、前記対象者の上半身に向けて電波を発射し、
前記解析部は、前記無線センサにおいて受信される前記上半身からの前記反射波の受信信号強度と前記圧電センサにおいて検知される前記圧力とに基づいて、前記対象者の足揺すり動作の有無を判定する
ことを特徴とする請求項１乃至７の何れか一項に記載の反応調査システム。
【請求項９】
前記関連付け部は、前記生体情報取得部において前記対象者の所定の反応を示す所定の生体情報が取得された場合、当該所定の生体情報と、当該所定の生体情報が前記対象者から取得されたときの前記出来事に関する前記出来事情報とを関連付けて記録する
ことを特徴とする請求項１乃至８の何れか一項に記載の反応調査システム。
【請求項１０】
前記関連付け部は、所定の出来事が発生したことを示す所定の出来事情報が前記出来事情報取得部において取得された場合、当該所定の出来事情報と、当該所定の出来事情報に対応する出来事が発生したときに前記対象者から取得された前記生体情報とを関連付けて記録する
ことを特徴とする請求項１乃至９の何れか一項に記載の反応調査システム。
【請求項１１】
物事の進行とともに起きる出来事に対する対象者の反応を調査する反応調査方法であって、
前記出来事に関する出来事情報を取得するステップと、
前記対象者の生体情報を取得するステップと、
取得された前記生体情報と、当該生体情報が前記対象者から取得されたときの前記出来事に関する前記出来事情報とを関連付けるステップとを有し、
前記生体情報を取得するステップは、
前記対象者に向けて発射した電波の反射波を受信する無線センサ、及び、前記対象者の動きに応じた圧力の変化を検知する圧電センサの少なくとも一方による検出結果を取得するステップと、
取得した前記検出結果に基づいて前記生体情報を解析するステップとを含む
ことを特徴とする反応調査方法。
【発明の詳細な説明】
【技術分野】
【０００１】
本発明は、センサから得られる情報に基づいて対象者の反応を調べる反応調査システムとその反応調査方法に関するものである。
【背景技術】
【０００２】
センサからの情報を用いて対象者の生体情報を取得し、取得した生体情報を用いて心理状態の推定などを行うシステムが知られている。例えば下記の特許文献１に記載される情報処理システムでは、会議参加者の視線情報や脳波、脈拍数などの生体情報に基づいて、会議参加者の心理状態が推定される。推定された心理状態に基づいて、会議の音声映像情報の一部が選別され、インデックス情報として記録される。
【先行技術文献】
【特許文献】
【０００３】
【特許文献１】特開２００６−８５４４０号公報
【発明の概要】
【発明が解決しようとする課題】
【０００４】
上述した特許文献１に記載されるシステムでは、視線情報を取得するために、ビデオカメラで会議参加者が撮影される。撮影された動画には、会議参加者の表情やしぐさ、挙動などが詳細に記録されており、それを見ることで本人を容易に特定できる。従って、そのような動画のデータが会議の記録とともに保存されることは、会議参加者に心理的な圧迫感を与えるという問題がある。また、記録された動画のデータが外部に漏洩した場合、本人を容易に特定できるため、重大なプライバシーの侵害になるという問題がある。
【０００５】
また、上述した特許文献１に記載されるシステムでは、脳波や脈拍数などを生体情報として取得するため、脳波計などの測定器を会議参加者の体に装着する必要があり、会議参加者の身体的な負担が大きいという問題がある。
【０００６】
本発明はかかる事情に鑑みてなされたものであり、その目的は、心理的・身体的な負担を与えることなく対象者の反応を調査できる反応調査システム及び反応調査方法を提供することにある。
【課題を解決するための手段】
【０００７】
本発明の第１の観点は、物事の進行とともに起きる出来事に対する対象者の反応を調査する反応調査システムに関する。この反応調査システムは、前記出来事に関する出来事情報を取得する出来事情報取得部と、前記対象者の生体情報を取得する生体情報取得部と、前記生体情報取得部において取得された前記生体情報と、当該生体情報が前記対象者から取得されたときの前記出来事に関する前記出来事情報とを関連付ける関連付け部とを有する。前記生体情報取得部は、前記対象者に向けて発射した電波の反射波を受信する無線センサ、及び、前記対象者の動きに応じた圧力の変化を検知する圧電センサの少なくとも一方と、前記無線センサの検出結果及び前記圧電センサの検出結果の少なくとも一方に基づいて前記生体情報を解析する解析部とを含む。
【０００８】
この構成によれば、前記対象者の前記生体情報を取得するため、前記対象者に向けて発射した電波の反射波を受信する前記無線センサや、前記対象者の動きに応じた圧力の変化を検知する前記圧電センサが用いられる。そのため、前記対象者の体に器具等を取り付ける必要がなく、前記対象者の身体的な負担が生じない。また、前記無線センサや前記圧電センサの検出結果は前記対象者本人を特定できない情報であるため、そのような検出結果が記録されることに対する前記対象者の心理的な負担が軽減されるとともに、当該検出結果が外部に漏洩した場合のプライバシーの侵害が生じない。
【０００９】
好適に、前記解析部は、前記無線センサの検出結果及び前記圧電センサの検出結果の少なくとも一方に基づいて、前記対象者の位置、前記対象者の動作、前記対象者の呼吸、及び、前記対象者の心拍のいずれか２以上を前記生体情報として解析してよい。これにより、前記対象者の反応に関する有用な情報が得られる。
【００１０】
好適に、前記無線センサは、前記対象者の体の正面側に向けて電波を発射してよい。これにより、前記対象者の体の正面側において顕著に表れる生体情報（頭部の動き、呼吸、心拍など）の検出感度が向上する。
【００１１】
好適に、前記圧電センサは、前記対象者が着席する座席の座部において前記圧力の変化を検知してよい。これにより、前記対象者の自然な動作を阻害することなく、前記対象者の鉛直方向の体動が検知される。
【００１２】
好適に、前記無線センサは、複数の位置で独立に前記反射波を受信可能でよい。前記解析部は、前記無線センサによる前記複数の位置での受信結果に基づいて前記対象者の動きの方向を解析してよい。これにより、圧電センサを用いない簡易な構成でありながら、前記対象者の動きの方向に関する前記生体情報が得られる。
【００１３】
好適に、前記生体情報取得部は、複数の位置で独立に前記対象者の動きに応じた圧力の変化を検知する複数の前記圧力センサを含んでよい。前記解析部は、前記複数の圧力センサによる前記複数の位置での前記圧力の検知結果に基づいて前記対象者の動きの方向を解析してよい。これにより、無線センサを用いない簡易な構成でありながら、前記対象者の動きの方向に関する前記生体情報が得られる。
【００１４】
好適に、前記無線センサは、前記対象者の頭部からの前記反射波を受信してよい。前記解析部は、前記無線センサにおいて受信された前記頭部からの前記反射波の受信信号強度と前記圧電センサにおいて検知される前記圧力とに基づいて、前記対象者の頭部が水平方向に振られているか又は鉛直方向に振られているかを判定してよい。例えば、前記解析部は、前記無線センサにおいて前記頭部の動きが検知された場合に、前記圧電センサにおいて鉛直方向の動きが検知されたならば鉛直方向に頭部が振られていると判定し、前記圧電センサにおいて鉛直方向の動きが検知されないならば水平方向に前記頭部が振られていると判定してよい。これにより、前記無線センサと前記圧電センサとを用いた簡易な構成でありながら、前記頭部の動きの方向に関する前記生体情報が得られる。
【００１５】
好適に、前記圧電センサは、前記対象者が着席する座席の座部において前記圧力の変化を検知してよい。前記無線センサは、前記対象者の上半身に向けて電波を発射してよい。前記解析部は、前記無線センサにおいて受信される前記上半身からの前記反射波の受信信号強度と前記圧電センサにおいて検知される前記圧力とに基づいて、前記対象者の足揺すり動作の有無を判定してよい。例えば、前記解析部は、前記上半身からの前記反射波の受信信号強度において前記上半身の動きが検知されず、かつ、前記座部で検知された前記圧力において鉛直方向への動きが検知された場合、前記対象者の足揺すり動作があると判定してよい。これにより、前記無線センサと前記圧電センサとを用いた簡易な構成でありながら、前記対象者の足揺すり動作に関する前記生体情報が得られる。
【００１６】
好適に、前記関連付け部は、前記生体情報取得部において前記対象者の所定の反応を示す所定の生体情報が取得された場合、当該所定の生体情報と、当該所定の生体情報が前記対象者から取得されたときの前記出来事に関する前記出来事情報とを関連付けて記録してよい。これにより、全ての時間に渡って前記出来事情報と前記生体情報とを関連付けて記録する場合に比べて、記録するデータ量が小さくなる。また、前記所定の反応を示す生体情報が前記対象者から取得されたときの前記出来事に関する前記出来事情報の検索が容易になる。
【００１７】
好適に、前記関連付け部は、所定の出来事が発生したことを示す所定の出来事情報が前記出来事情報取得部において取得された場合、当該所定の出来事情報と、当該所定の出来事情報に対応する出来事が発生したときに前記対象者から取得された前記生体情報とを関連付けて記録してよい。これにより、全ての時間に渡って前記出来事情報と前記生体情報とを関連付けて記録する場合に比べて、記録するデータ量が小さくなる。また、前記所定の出来事情報に対応する出来事が発生したときに前記対象者から取得された前記生体情報の検索が容易になる。
【００１８】
本発明の第２の観点は、物事の進行とともに起きる出来事に対する対象者の反応を調査する反応調査方法に関する。この反応調査方法は、前記出来事に関する出来事情報を取得するステップと、前記対象者の生体情報を取得するステップと、取得された前記生体情報と、当該生体情報が前記対象者から取得されたときの前記出来事に関する前記出来事情報とを関連付けるステップとを有する。前記生体情報を取得するステップは、前記対象者に向けて発射した電波の反射波を受信する無線センサ、及び、前記対象者の動きに応じた圧力の変化を検知する圧電センサの少なくとも一方による検出結果を取得するステップと、取得した前記検出結果に基づいて前記生体情報を解析するステップとを含む。
【発明の効果】
【００１９】
本発明によれば、対象者の生体情報を取得するために、対象者に向けて発射した電波の反射波を受信する無線センサや、対象者の動きに応じた圧力の変化を検知する圧電センサが用いられるため、心理的・身体的な負担を与えることなく対象者の反応を調査できる。
【図面の簡単な説明】
【００２０】
【図１】第１の実施形態に係る反応調査システムの構成の一例を示す図である。
【図２】無線センサ及び圧電センサの具体的な配置の一例を示す図である。
【図３】無線センサ及び圧電センサの各検出信号に基づいて得られる生体情報の例を示す図である。
【図４】第１の実施形態に係る反応調査システムの動作の一例を説明するためのフローチャートである。
【図５】第２の実施形態に係る反応調査システムの構成の一例を示す図である。
【図６】第３の実施形態に係る反応調査システムの構成の一例を示す図である。
【図７】第４の実施形態に係る反応調査システムの構成の一例を示す図である。
【図８】第４の実施形態に係る反応調査システムの動作の一例を説明するためのフローチャートである。
【図９】第４の実施形態に係る反応調査システムの一変形例の動作を説明するためのフローチャートである。
【発明を実施するための形態】
【００２１】
＜第１の実施形態＞
以下、本発明の第１の実施形態に係る反応調査システムについて図面を参照しながら説明する。図１は、第１の実施形態に係る反応調査システムの構成の一例を示す図である。本実施形態に係る反応調査システムは、会議やプレゼンテーション、商談などにおいて、対象者１の反応を調査するシステムである。例えば会議や商談においては対話の進行とともに参加者の発言があり、プレゼンテーションにおいては発表の進行とともに講演者の発言やプロジェクター等による資料の呈示がある。本明細書では、物事（会議での対話、プレゼンテーションでの発表など）の進行とともに起きる事柄（参加者の発言、資料の呈示など）を包括的に「出来事」と呼ぶ。
【００２２】
図１に示す反応調査システムは、出来事情報取得部１０と、生体情報取得部２０と、関連付け部３０と、記憶部４０を有する。
【００２３】
出来事情報取得部１０は、物事の進行とともに起きる出来事に関する出来事情報を取得する。図１の例において、出来事情報取得部１０は、会議などの進行とともに行われる発言の音声を入力するためのマイク１１と、マイク１１により入力された音声を音声データとして取得する音声データ取得部１２とを含む。この例では、会議等における発言が「出来事」であり、音声データに関する情報が「出来事情報」である。例えば音声データ取得部１２は、会議等が始まってから終わるまでの間、音声データの取得（すなわち録音）を継続する。
【００２４】
生体情報取得部２０は、発生した出来事に対する対象者１の反応に関わる生体情報を当該対象者１から取得する。生体情報取得部２０は、例えば図１に示すように、無線センサ２１と、圧電センサ２２と、解析部２３を含む。
【００２５】
無線センサ２１は、対象者１に向けて発射した電波の反射波を受信するセンサであり、反射波の受信信号強度が対象者１の動きを示す。無線センサ２１は、対象者１の正面側に向けて電波を発射する。図１の例において、無線センサ２１は共通のアンテナＡＴにおいて電波の送信と受信を行っているが、送信用と受信用とで独立のアンテナを設けてもよい。
【００２６】
圧電センサ２２は、対象者１の動きに応じた圧力の変化を検知するセンサであり、この圧力の変化が対象者１の鉛直方向の動きを示す。
【００２７】
図２は、無線センサ２１及び圧電センサ２２の具体的な配置の一例を示す図である。図２の例において、無線センサ２１は、対象者１が対面する机４の縁の部分に埋め込まれており、対象者１の上半身に向けて電波を発射する。無線センサ２１は、対象者１の頭部からの反射波を受信するため、頭部の動きに応じて反射波の受信信号強度が変化する。図２の例において、無線センサ２１が埋め込まれた机４の上にはマイク１１が配置される。
【００２８】
他方、圧電センサ２２は、対象者１が着席する座席２の座部３に埋め込まれており、着座する対象者１の動きに応じた圧力の変化を検知する。圧電センサ２２が検知する圧力は、対象者１の上半身の動き（首振りなど）に応じて変動するとともに、対象者１の下半身の動き（足揺すり動作）に応じて変動する。
【００２９】
解析部２３は、無線センサ２１の検出結果及び圧電センサ２２の検出結果に基づいて、出来事に対する対象者１の反応に関わる生体情報を解析する。例えば解析部２３は、生体情報として、対象者１の位置、動作、呼吸及び心拍をそれぞれ解析する。
【００３０】
図３は、無線センサ２１及び圧電センサ２２の各検出信号に基づいて得られる生体情報の例を示す図である。図３の例では、対象者１の動作として、首の縦振り動作、首の横振り動作、足揺すり動作が解析される。
【００３１】
図３に示すように、首の縦振り動作の場合、無線センサ２１は比較的大きな動きを検知し、圧電センサ２２も比較的大きな上下動の動きを検知する。一方、首の横振り動作の場合、無線センサ２１は比較的大きな動きを検知するものの、圧電センサ２２が検知する上下動の動きは比較的小さい。そこで、解析部２３は、無線センサ２１が受信した頭部からの反射波の受信信号強度と、圧電センサ２２が検知した圧力とに基づいて、対象者１の頭部が水平方向に振られているか又は鉛直方向に振られているかを判定する。
【００３２】
例えば、解析部２３は、無線センサ２１における反射波の受信信号強度の変動幅が所定のしきい値を超えており（頭部の動きが大きい）、かつ、圧電センサ２２における圧力の変動幅が所定のしきい値を超えている場合（上下動がある）、首の縦振り動作が行われていると判定する。他方、解析部２３は、無線センサ２１における反射波の受信信号強度の変動幅が所定のしきい値を超えており（頭部の動きが大きい）、かつ、圧電センサ２２における圧力の変動幅が所定のしきい値より小さい場合（上下動が少ない）、首の横振り動作が行われていると判定する。
【００３３】
また図３に示すように、足揺すり動作の場合、無線センサ２１は対象者１の上半身に向けて電波を発射するため、無線センサ２１が検知する動きは少ない。これに対して、圧電センサ２２は対象者１の動きに応じた圧力の変化を検知するため、足揺すり動作において大きな上下動を検知する。そこで、解析部２３は、無線センサ２１において受信される上半身からの反射波の受信信号強度と圧電センサ２２において検知される圧力とに基づいて、対象者１の足揺すり動作の有無を判定する。
【００３４】
例えば、解析部２３は、無線センサ２１における反射波の受信信号強度の変動幅が所定のしきい値より小さく（上半身の動きが小さい）、かつ、圧電センサ２２における圧力の変動幅が所定のしきい値を超えている場合（上下動がある）、足揺すり動作が行われていると判定する。
【００３５】
対象者１の呼吸と心拍は、図３に示すように、首振り動作や足揺すり動作に比べて動きが少ないため、解析部２３はこれらの体動が止んだときに呼吸と心拍の解析を行う。解析部２３は、無線センサ２１の検出信号と圧電センサ２２の検出信号の各々から呼吸と心拍の波形を抽出する。例えば解析部２３は、これらのセンサの検出信号に高周波成分を除去するローパスフィルタ処理を施して呼吸の波形を抽出し、呼吸の合間の静止期間に表れる周期波形を心拍の波形として抽出する。
【００３６】
また解析部２３は、圧電センサ２２の検出信号に基づいて、対象者１が座席２に着座しているか否かを判定し、対象者１が座席２に着座していないときの無線センサ２１の受信信号強度に基づいて、対象者１が座席２の前で立ち上がっているのか、又は、対象者１が座席２から離れているのかを判定する。すなわち解析部２３は、無線センサ２１及び圧電センサ２２の検出結果に基づいて、対象者１の位置を解析する。
【００３７】
関連付け部３０は、生体情報取得部２０において取得された生体情報と、当該生体情報が対象者１から取得されたときの出来事に関する出来事情報とを関連付ける。例えば関連付け部３０は、解析部２３において取得された生体情報と、この生体情報が取得された時刻と、音声データの録音開始時点からの経過時間とを関連付けて記憶部４０に記録する。これにより、例えば対象者１の首が縦に振られた時刻と、音声データの時刻（録音開始時点からの経過時間）とが関連付けられるため、発言内容に対する対象者１の反応を調べることが可能になる。
【００３８】
上述した音声データ取得部１２、解析部２３及び関連付け部３０は、例えばコンピュータなどの情報処理装置１００において所定の情報処理を行うように構成された機能ブロックである。情報処理装置１００は、全ての処理をコンピュータでプログラムに基づいて実行してもよいし、少なくとも一部の処理を専用のハードウェア（ロジック回路）で実行してもよい。また、情報処理装置１００は１台のコンピュータで構成されてもよいし、ネットワークを介して接続された複数台のコンピュータで構成されてもよい。
【００３９】
記憶部４０は、音声データ取得部１２で取得される音声データや、解析部２３で取得される生体情報を、関連付け部３０による関連付けの情報とともに記憶する。また、記憶部４０は、情報処理装置１００のコンピュータにおいて実行されるプログラムを記憶してもよい。記憶部４０は、例えば、ＤＲＡＭやＳＲＡＭなどの揮発性メモリ、フラッシュメモリなどの不揮発性メモリ、ハードディスクなどを含んで構成される。
【００４０】
ここで、上述した構成を有する本実施形態に係る反応調査システムの動作について、図４のフローチャートを参照して説明する。
【００４１】
ＳＴ１００：
会議やプレゼンテーションの開始に伴って、音声データ取得部１２はマイク１１で入力される音声の録音を開始し、音声データを記憶部４０に記録する。
【００４２】
ＳＴ１０５、ＳＴ１１０：
解析部２３は、無線センサ２１及び圧電センサ２２の検出結果をそれぞれ取得し、その検出結果に基づいて対象者１の生体情報を解析する。
【００４３】
ＳＴ１１５、ＳＴ１２０：
対象者１の所定の反応を示す生体情報が解析部２３において取得された場合、関連付け部３０は、取得された生体情報と、生体情報が取得された時刻と、音声データの時刻（録音開始時点からの経過時間）とを関連付けて記憶部４０に記録する。例えば体動が止んだ状態で呼吸や心拍の波形データが得られた場合、関連付け部３０は、その波形データと、波形データが得られた時刻と、音声データの時刻とを関連付けて記憶部４０に記録する。また、例えば対象者１の所定の動作（首振り動作、足揺すり動作）が判定された場合、関連付け部３０は、その動作の内容と、動作の発生時刻と、音声データの時刻とを関連付けて記憶部４０に記録する。
【００４４】
ＳＴ１２５：
対象者１の反応の調査が継続されている間、反応調査システムはステップＳＴ１００〜ＳＴ１２０の処理を反復する。
【００４５】
以上説明したように、本実施形態に係る反応調査システムによれば、対象者１の生体情報を取得するために、対象者１に向けて発射した電波の反射波を受信する無線センサ２１や、対象者１の動きに応じた圧力の変化を検知する圧電センサ２２が用いられる。そのため、対象者１の体に加速度計などの器具を取り付ける必要がなく、対象者１の身体的な負担が生じない。また、無線センサ２１や圧電センサ２２の検出結果は対象者１の本人を特定できない情報であるため、そのような検出結果が記録されることに対する対象者１の心理的な負担が軽減されるとともに、当該検出結果が外部に漏洩した場合のプライバシーの侵害が生じない。従って、心理的・身体的な負担を与えることなく対象者の反応を適切に調査できる。
【００４６】
本実施形態によれば、無線センサ２１から対象者１の体の正面側に向けて電波が発射されるため、対象者１の体の正面側において顕著に表れる生体情報（頭部の動き、呼吸、心拍など）の検出感度を高めることができる。
【００４７】
本実施形態によれば、対象者１が着席する座席２の座部３において圧電センサ２２により圧力が検知されるため、対象者１の自然な動作を阻害することなく、対象者１の鉛直方向の体動を適切に検知できる。
【００４８】
本実施形態によれば、無線センサ２１において受信された頭部からの反射波の受信信号強度と圧電センサ２２において検知される圧力とに基づいて、対象者１の頭部が水平方向に振られているか又は鉛直方向に振られているかが判定される。これにより、無線センサ２１と圧電センサ２２とを用いた簡易な構成でありながら、対象者１の頭部の動きの方向に関する生体情報を取得できる。
【００４９】
本実施形態によれば、無線センサ２１において受信される上半身からの反射波の受信信号強度と圧電センサ２２において検知される圧力とに基づいて、対象者１の足揺すり動作の有無が判定される。これにより、無線センサ２１と圧電センサ２２とを用いた簡易な構成でありながら、対象者１の足揺すり動作に関する生体情報を取得できる。
【００５０】
＜第２の実施形態＞
次に、本発明の第２の実施形態について説明する。図５は、本発明の第２の実施形態に係る反応調査システムの構成の一例を示す図である。図５に示す反応調査システムは、図１に示す反応調査システムにおける生体情報取得部２０を生体情報取得部２０Ａに置き換えたものであり、他の構成は図１に示す反応調査システムと同様である。
【００５１】
生体情報取得部２０Ａは、図１における無線センサ２１と同様な構成を有する２つの無線センサ２１−１，２１−２と、解析部２３とを有する。２つの無線センサ２１−１，２１−２は、それぞれ異なる位置に配置されたアンテナＡＴ１，ＡＴ２から対象者１に向けて電波を発射し、対象者１からの反射波をアンテナＡＴ１，ＡＴ２において受信する。解析部２３は、２つの無線センサ２１−１，２１−２による反射波の受信結果に基づいて、対象者１の動きの大きさと方向を解析する。
【００５２】
本実施形態によれば、圧電センサ２２を用いない簡易な構成でありながら、対象者１の動きの方向に関する精度のよい生体情報を得ることができる。例えば、首の縦振り動作や横振り動作だけでなく、体の前後・左右の動きなども解析することが可能になりため、出来事に対する反応として表れた対象者１の動きを詳しく調査できる。
【００５３】
なお、図５の例では、独立した２つの無線センサ２１−１，２２−２が使用されているが、本実施形態の他の例では、１つのアンテナから発射した電波に対する反射波を複数の異なる位置に設けたアンテナで受信するように無線センサが構成されていてもよい。
【００５４】
＜第３の実施形態＞
次に、本発明の第３の実施形態について説明する。図６は、本発明の第３の実施形態に係る反応調査システムの構成の一例を示す図である。図６に示す反応調査システムは、図１に示す反応調査システムにおける生体情報取得部２０を生体情報取得部２０Ｂに置き換えたものであり、他の構成は図１に示す反応調査システムと同様である。
【００５５】
生体情報取得部２０Ｂは、図１に示す圧電センサ２２と同様な構成を有する４つの圧力センサ２２−１〜２２−４と、解析部２３とを有する。４つの圧力センサ２２−１〜２２−４は、それぞれ座部３に埋め込まれており、４つの異なる位置で独立に対象者１の動きに応じた圧力の変化を検知する。例えば４つの圧力センサ２２−１〜２２−４のうち、２つの圧力センサが対象者１の正面側と背面側に配置され、他の２つの圧力センサが対象者１の右側と左側に配置される。
【００５６】
解析部２３は、４つの圧電センサ２２−１〜２２−４による圧力の変化の検知結果に基づいて、対象者１の動きの大きさと方向を解析する。例えば４つの圧電センサ２２−１〜２２−４が対象者１の正面側、背面側、右側及び左側に配置されている場合、解析部２３は、これらの圧電センサの検知結果を比較することにより、対象者１が正面方向、背面方向、右方向及び左方向のどちらに動いているかを解析する。
【００５７】
本実施形態によれば、無線センサ２１を用いない簡易な構成でありながら、対象者１の動きの方向に関する精度のよい生体情報を得ることができる。例えば、首の縦振り動作や横振り動作だけでなく、体の前後・左右の動きなども解析することが可能になりため、出来事に対する反応として表れた対象者１の動きを詳しく調査できる。
【００５８】
＜第４の実施形態＞
次に、本発明の第４の実施形態について説明する。図７は、本発明の第４の実施形態に係る反応調査システムの構成の一例を示す図である。図７に示す反応調査システムは、図１に示す反応調査システムにおける出来事情報取得部１０を出来事情報取得部１０Ａに置き換えて、ディスプレイ５０を追加したものであり、他の構成は概ね図１に示す反応調査システムと同様である。
【００５９】
出来事情報取得部１０Ａは、キーボードやマウス、タッチパッドなどの入力装置１３と、入力装置１３によって入力された操作情報に応じてディスプレイ５０に文書や図面、画像などのコンテンツを表示させる処理を行うコンテンツ表示処理部１４とを有する。
【００６０】
図７の例において、コンテンツ表示処理部１４は、所定の情報処理を行うように構成された情報処理装置１００に含まれる機能ブロックであり、例えば、コンピュータにインストールされたプレゼンテーション用のアプリケーションプログラムなどに相当する。
【００６１】
図７の例では、プレゼンテーション等においてディスプレイ５０にコンテンツ（文書、図面等）を表示させることが「出来事」であり、コンテンツ表示処理部１４がディスプレイ５０に表示させたコンテンツに関する情報が「出来事情報」である。
【００６２】
関連付け部３０は、解析部２３において取得された生体情報と、この生体情報が取得された時刻と、そのときディスプレイ５０で表示されていたコンテンツの情報（例えばコンテンツのタイトル、文書の項目名、ページ数、図面の番号など）とを関連付けて記憶部４０に記録する。これにより、例えば対象者１の首が縦に振られた時刻と、そのときディスプレイ５０で表示されていたコンテンツとが関連付けられるため、表示したコンテンツに対する対象者１の反応を調べることが可能になる。
【００６３】
図８は、第４の実施形態に係る反応調査システムの動作の一例を説明するためのフローチャートである。
【００６４】
ＳＴ２００、ＳＴ２０５：
解析部２３は、無線センサ２１及び圧電センサ２２の検出結果をそれぞれ取得し、その検出結果に基づいて対象者１の生体情報を解析する。
【００６５】
ＳＴ２１０：
関連付け部３０は、対象者１の所定の反応を示す生体情報が解析部２３において取得されたか否かを判定する。当該生体情報が取得された場合はステップＳＴ２１５に移行し、当該生体情報が取得されていない場合はステップＳＴ２２５に移行する。
【００６６】
ＳＴ２１５：
ステップＳＴ２１０において対象者１の所定の反応を示す生体情報が取得された場合、コンテンツ表示処理部１４は、そのときディスプレイ５０で表示しているコンテンツの情報（コンテンツのタイトル等）を取得する。
【００６７】
ＳＴ２２０：
関連付け部３０は、生体情報取得部２０で取得された生体情報と、生体情報が取得された時刻と、コンテンツ表示処理部１４で取得されたコンテンツの情報（コンテンツのタイトル等）とを関連付けて記憶部４０に記録する。
【００６８】
ＳＴ２２５：
対象者１の反応の調査が継続されている間、反応調査システムはステップＳＴ２００〜ＳＴ２２０の処理を反復する。
【００６９】
以上、本実施形態によれば、対象者１の所定の反応を示す所定の生体情報が取得された場合に、当該所定の生体情報と、当該所定の生体情報が対象者１から取得されたときの出来事に関する出来事情報（コンテンツの情報）とが関連付けられて記憶部４０に記録される。これにより、全ての時間に渡って出来事情報（コンテンツの情報）と生体情報とを関連付けて記録する場合に比べて、記録するデータ量を削減できる。また、所定の反応を示す生体情報が対象者１から取得されたときの出来事に関する出来事情報（コンテンツの情報）の検索が容易になる。
【００７０】
なお、図８の動作例では、所定の生体情報が取得されたときに生体情報と出来事情報とを関連付けて記録しているが、本実施形態の変形例では、所定の出来事情報が得られたときに生体情報と出来事情報とを関連付けて記録するようにしてもよい。
【００７１】
図９は、第４の実施形態に係る反応調査システムの一変形例の動作を説明するためのフローチャートである。
【００７２】
ＳＴ３００：
コンテンツ表示処理部１４は、ディスプレイ５０においてそのとき表示しているコンテンツの情報（コンテンツのタイトル等）を取得する。
【００７３】
ＳＴ３０５：
関連付け部３０は、ステップＳＴ３００において所定のコンテンツの情報（所定のコンテンツのタイトル名など）が取得されたか否かを判定する。当該コンテンツの情報が取得された場合はステップＳＴ３１０に移行し、当該コンテンツの情報が取得されていない場合はステップＳＴ３２５に移行する。
【００７４】
ＳＴ３１０，ＳＴ３１５：
解析部２３は、無線センサ２１及び圧電センサ２２の検出結果をそれぞれ取得し、その検出結果に基づいて対象者１の生体情報を解析する。
【００７５】
ＳＴ３２０：
関連付け部３０は、コンテンツ表示処理部１４で取得されたコンテンツの情報（コンテンツのタイトル等）と、この情報に対応するコンテンツが表示された時刻と、生体情報取得部２０で取得された生体情報とを関連付けて記憶部４０に記録する。
【００７６】
ＳＴ３２５：
対象者１の反応の調査が継続されている間、反応調査システムはステップＳＴ３００〜ＳＴ３２０の処理を反復する。
【００７７】
この変形例によれば、所定の出来事が発生したことを示す所定の出来事情報（コンテンツの情報）が取得された場合に、当該所定の出来事情報（コンテンツの情報）と、当該所定の出来事情報（コンテンツの情報）に対応する出来事が発生したときに対象者１から取得された生体情報とが関連付けて記憶部４０に記録される。これにより、全ての時間に渡って出来事情報（コンテンツの情報）と生体情報とを関連付けて記録する場合に比べて、記録するデータ量を削減できる。また、所定の出来事情報（コンテンツの情報）に対応する出来事が発生したときに対象者１から取得された生体情報の検索が容易になる。
【００７８】
なお、本発明は上述した実施形態にのみ限定されるものではなく、種々のバリエーションを含んでいる。
【００７９】
上述した実施形態では、出来事情報の例として、会議等における発言の音声データに関する情報や、プレゼンテーション等で表示されるコンテンツに関する情報が挙げられているが、本発明は上記の例に限定されるものではなく、様々な物事の進行とともに起きる事柄についての情報を出来事情報として取り扱うことが可能である。
【００８０】
また、上述した実施形態では、生体情報の例として、対象者１の体の動作（首振り動作、足揺すり動作）や呼吸、心拍などが挙げられているが、更に種々の生体情報を取得してもよい。
【符号の説明】
【００８１】
１…対象者、２…座席、３…座部、４…机、１０，１０Ａ…出来事情報取得部、１１…マイク、１２…音声データ取得部、１３…入力装置、１４…コンテンツ表示処理部、２０，２０Ａ…生体情報取得部、２１…無線センサ、２２…圧電センサ、２３…解析部、３０…関連付け部、４０…記憶部、５０…ディスプレイ、１００…情報処理装置
【図１】
2018143340.tif 000003
【図２】
2018143340.tif 000004
【図３】
2018143340.tif 000005
【図４】
2018143340.tif 000006
【図５】
2018143340.tif 000007
【図６】
2018143340.tif 000008
【図７】
2018143340.tif 000009
【図８】
2018143340.tif 000010
【図９】
2018143340.tif 000011